(57)【特許請求の範囲】
【請求項１】
筒状の縦樋継手の上下に縦樋の内径と外径が同じ接続部を設けると共に上下の接続部間に外径が縦樋の外径と同じ径の環状突出部を全周に亙るように設け、環状突出部の周方向の一部に突縁部を設けると共に突縁部の両端に外方に突出するように係合突起部を設け、突縁部を設けた部分で突縁部と接続部の外面との間に隙間を設け、縦樋の端部間に縦樋継手を配置すると共に縦樋継手の上下の接続部を縦樋の端部内に挿入して接続し、縦樋や縦樋継手に沿う形状に曲成された受け板と打入固定部とよりなる控え金具を建物に装着し、控え金具の受け板を縦樋や縦樋継手の建物側の面に沿わせると共に受け板の両側に設けた係合孔に上記係合突起部を係合して成ることを特徴とする縦樋の取り付け構造。
【請求項２】
受け板に設ける係合孔を上記係合突起部より上下に長い長孔状として係合突起部を係合孔に上下にスライド自在に係合して成ることを特徴とする請求項１記載の縦樋の取り付け構造。
【請求項３】
受け板と打入固定部とを別体とし、受け板に設けた上下に長い長孔状の連結孔に打入固定部の頭部を上下にスライド自在に係止して成ることを特徴とする請求項１記載の縦樋の取り付け構造。
【発明の詳細な説明】
【０００１】
【発明の属する技術分野】
本発明は縦樋を接続して建物に取り付ける構造に関するものである。
【０００２】
【従来の技術】
従来、図７に示すように筒状の縦樋継手１′の上下に縦樋２の外径と略同径の接続部３′を設けてあり、縦樋２の端部間に縦樋継手１′を配置して軒樋継手１′の接続部３′を縦樋２の端部の外面側に被嵌して接続していた。また縦樋２を建物に支持する場合は建物の壁面等に控え金具を取り付け、控え金具に設けた環状の保持部で縦樋２の外周を囲繞していた。
【０００３】
【発明が解決しようとする課題】
ところが、上記従来例にあっては、縦樋継手１′の接続部３′を縦樋２の外面側に被嵌して接続するために軒樋継手１′全体が見えて外観が悪くなるという問題があり、また縦樋２を縦樋継手１′で接続する箇所と控え金具にて縦樋２を支持する箇所とが異なり、この点でも外観が複雑になって外観が悪くなるという問題がある。
【０００４】
本発明は上記の点に鑑みてなされたものであり、縦樋を外観よく接続できると共に外観よく建物に支持できる縦樋の取り付け構造を提供することを課題とするものである。
【０００５】
【課題を解決するための手段】
上記課題を解決するための本発明の請求項１の縦樋の取り付け構造は、筒状の縦樋継手１の上下に縦樋２の内径と外径が同じ接続部３を設けると共に上下の接続部３間に外径が縦樋２の外径と同じ径の環状突出部１５を全周に亙るように設け、環状突出部１５の周方向の一部に突縁部１０を設けると共に突縁部１０の両端に外方に突出するように係合突起部４を設け、突縁部１０を設けた部分で突縁部１０と接続部３の外面との間に隙間１１を設け、縦樋２の端部間に縦樋継手１を配置すると共に縦樋継手１の上下の接続部３を縦樋２の端部内に挿入して接続し、縦樋２や縦樋継手１に沿う形状に曲成された受け板５と打入固定部６とよりなる控え金具７を建物に装着し、控え金具７の受け板５を縦樋２や縦樋継手１の建物側の面に沿わせると共に受け板５の両側に設けた係合孔８に上記係合突起部４を係合して成ることを特徴とする。縦樋継手１の上下の接続部３を縦樋２の端部内に挿入して接続することにより縦樋継手１が外観上殆ど見えないように接続でき、また縦樋継手１で接続する部分と控え金具７とを係合突起部４と係合孔８の係合とで連結して控え金具７にて縦樋２を支持できる。これにより外観をシンプルにして縦樋２を接続することができると共に縦樋２を建物に支持できて外観よく施工できる。また受け板５を縦樋２や縦樋継手１に沿わせることで係合突起部４と係合孔８の係合で連結するものでも縦樋２を安定よく支持できる。また一対の係合突起部４と一対の係合孔８とを係合することにより係合で取り付けるものでも縦樋２を確実に支持できる。
【０００６】
また本発明の請求項２の縦樋の取り付け構造は、請求項１において、受け板５に設ける係合孔８を上記係合突起部４より上下に長い長孔状として係合突起部４を係合孔８に上下にスライド自在に係合して成ることを特徴とする。このようにすることで縦樋２の伸縮を吸収して支持することができる。
【０００７】
また本発明の請求項３の縦樋の取り付け構造は、請求項１において、受け板５と打入固定部６とを別体とし、受け板５に設けた上下に長い長孔状の連結孔９に打入固定部６の頭部６ａを上下スライド自在に係止して成ることを特徴とする。このようにすることで縦樋２の伸縮を吸収して支持することができる。
【０００９】
【発明の実施の形態】
縦樋２は合成樹脂等で断面円形に形成されており、縦樋継手１も円筒状に形成されている。縦樋継手１の上下方向の中間部には図２、図３に示すように周方向に亙るように環状突出部１５を設けてあり、環状突出部１５の上下に接続部３を設けてあり、環状突出部１５に係合突起部４を設けてある。縦樋継手１の接続部３は円筒状であり、接続部３の外径は縦樋２の内径と略同じ径にしてある。環状突出部１５は全周に亙るように設けられるが、環状突出部１５の外径は縦樋２の外径と略同じ径となるようにしてある。環状突出部１５の周方向の一部には突縁部１０が設けられるが、突縁部１０の周方向の両端には外方に突出するように係合突起部４が設けられている。この突縁部１０を設けた部分では突縁部１０と接続部３の外面との間に隙間１１を設けてある。
【００１０】
控え金具７は図４に示すように受け板５と釘状の打入固定部６とで構成されている。受け板５は矩形板状であって、縦樋２や縦樋継手１の外面に沿う形状に曲成されている。受け板５の中央には結合孔１２が設けられており、打入固定部６の頭部６ａを結合孔１２に結合してある。この受け板５の両側には上記係合突起部４が係合し得る係合孔８を設けてある。
【００１１】
しかして縦樋２の端部間に縦樋継手１が配置され、縦樋継手１の接続部３を縦樋２の端部内に挿入して縦樋２が縦樋継手１にて接続される。このとき縦樋継手１の環状突出部６の外面と縦樋２の外面とが面一になって縦樋継手１が外観上目立たないように接続することができる。この縦樋２を縦樋継手１で接続する部分で建物の壁面には控え金具７の打入固定部６を打入することで控え金具７が取り付けられ、控え金具７の受け板５が縦樋２や縦樋継手１の環状突出部１５の外面に沿わせられ、控え金具７の受け板５の一対の係合孔８と縦樋継手１の一対の係合突起部４とが係合されて縦樋継手１及び縦樋２が支持される。このように施工することで、縦樋継手１が外観上目立たないように縦樋２を縦樋継手１で接続でき、また縦樋継手１で接続する部分で控え金具５にて建物に縦樋２を支持できる。このために外観をシンプルにして外観よく施工できる。
【００１２】
次に図５に示す実施の形態の例について述べる。本例の場合、控え金具７の受け板５の両側に設ける係合孔８が上下に長い長孔状になっている。このようなっていると上下に長い係合孔８に縦樋継手１の係合突起部４が上下にスライド自在に係合する。このために縦樋２の長手方向の伸縮を吸収して軒樋２を控え金具７にて支持できる。
【００１３】
次に図６に示す実施の形態の例について述べる。本例の場合、控え金具７の受け板５の中央に設ける連結孔９が上下に長い長孔状になっている。このようになっていると、上下に長い連結孔９に固定打入部６の頭部６ａが上下にスライド自在になるように連結される。このために縦樋２の長手方向の伸縮を吸収して軒樋２を控え金具７にて支持できる。
【００１４】
【発明の効果】
本発明の請求項１の発明は、筒状の縦樋継手の上下に縦樋の内径と外径が同じ接続部を設けると共に上下の接続部間に外径が縦樋の外径と同じ径の環状突出部を全周に亙るように設け、環状突出部の周方向の一部に突縁部を設けると共に突縁部の両端に外方に突出するように係合突起部を設け、突縁部を設けた部分で突縁部と接続部の外面との間に隙間を設け、縦樋の端部間に縦樋継手を配置すると共に縦樋継手の上下の接続部を縦樋の端部内に挿入して接続し、縦樋や縦樋継手に沿う形状に曲成された受け板と打入固定部とよりなる控え金具を建物に装着し、控え金具の受け板を縦樋や縦樋継手の建物側の面に沿わせると共に受け板の両側に設けた係合孔に上記係合突起部を係合しているので、縦樋継手の上下の接続部を縦樋の端部内に挿入して接続することにより縦樋継手が外観上殆ど見えないように接続でき、また縦樋継手で接続する部分と控え金具とを係合突起部と係合孔の係合とで連結して控え金具にて縦樋を支持できるものであって、これにより外観をシンプルにして縦樋を接続することができると共に縦樋を建物に支持できて外観よく施工できるものであり、また受け板を縦樋や縦樋継手に沿わせることで係合突起部と係合孔の係合で連結するものでも縦樋を安定よく支持できるものであり、また一対の係合突起部と一対の係合孔とを係合することにより係合で取り付けるものでも縦樋を確実に支持できるものである。
【００１５】
また本発明の請求項２の発明は、請求項１において、受け板に設ける係合孔を上記係合突起部より上下に長い長孔状として係合突起部を係合孔に上下にスライド自在に係合しているので、縦樋の伸縮を吸収して支持することができるものである。
【００１６】
また本発明の請求項３の発明は、請求項１において、受け板と打入固定部とを別体とし、受け板に設けた上下に長い長孔状の連結孔に打入固定部の頭部を上下スライド自在に係止しているので、縦樋の伸縮を吸収して支持することができるものである。
【図面の簡単な説明】
【図１】本発明の実施の形態の一例の分解した概略斜視図である。
【図２】同上の縦樋と縦樋継手とを分解した斜視図である。
【図３】同上の軒樋継手を示し、（ａ）は平面図、（ｂ）は正面図である。
【図４】（ａ）は同上の控え金具の平面図、（ｂ）は受け板の正面図である。
【図５】同上の実施の形態の他の例を示し、（ａ）は控え金具の概略斜視図、（ｂ）は受け板を示す正面図である。
【図６】同上の実施の形態の他の例を示し、（ａ）は控え金具の概略斜視図、（ｂ）は受け板を示す正面図である。
【図７】従来の縦樋を縦樋継手で接続した状態の縦断面図である。
【符号の説明】
１  縦樋継手
２  縦樋
３  接続部
４  係合突起部
５  受け板
６  打入固定部
６ａ  頭部
７  控え金具
８  係合孔
９  連結孔
【図１】
0003551819.tif 000002
【図２】
0003551819.tif 000003
【図３】
0003551819.tif 000004
【図４】
0003551819.tif 000005
【図５】
0003551819.tif 000006
【図６】
0003551819.tif 000007
【図７】
0003551819.tif 000008